(57)【特許請求の範囲】
【請求項１】
複数のアンテナのいずれか一方にてフレーム構成された信号を複数受信する通信部と、
前記通信部が受信した複数の信号のフレームエラー数を測定する測定部と、
を備えた通信端末の通信に用いるアンテナの切換方法であって、
一方のアンテナによって受信された所定数の信号のフレームエラー数が前記測定部によって測定された後に、信号を受信するアンテナを他方のアンテナに切り換えるステップと、
当該他方のアンテナによって受信された前記所定数以下の複数の信号のフレームエラー数が、前記一方のアンテナによって受信された所定数の信号のフレームエラー数を超えた時、信号を受信するアンテナを前記一方のアンテナに切り換えるステップと、
を備えるアンテナの切換方法。
【請求項２】
複数のアンテナのいずれか一方にてフレーム構成された信号を複数受信する通信部と、
前記通信部が受信した複数の信号のフレームエラー数を測定する測定部と、
一方のアンテナによって受信された所定数の信号のフレームエラー数が前記測定部によって測定された後に、信号を受信するアンテナを他方のアンテナに切り換え、
当該他方のアンテナによって受信された前記所定数以下の複数の信号のフレームエラー数が、前記一方のアンテナによって受信された所定数の信号のフレームエラー数を超えた時、信号を受信するアンテナを前記一方のアンテナに切り換える制御部と、
を備える通信端末。
【請求項３】
請求項２に記載の通信端末であって、
前記制御部は、前記一方のアンテナが前記所定数よりも多い回数、信号を受信した場合、当該一方のアンテナによって直近に受信された前記所定数の信号のフレームエラー数を前記測定部に測定させる通信端末。
【発明の詳細な説明】
【技術分野】
【０００１】
本発明は、複数のアンテナを備え該複数のアンテナのうちの一つのアンテナを選択して通信部に接続するアンテナ選択型のダイバーシティ方式の通信端末におけるアンテナ切換方法およびそのアンテナ切換方法を用いた通信端末に関する。
【背景技術】
【０００２】
携帯電話機やＰＨＳ等の通信端末は、単一の通信部と複数のアンテナを持ち、この複数のアンテナのうち電波の受信状態が最も良いアンテナを選択して通信する、アンテナ選択型のダイバーシティ方式が広く用いられている。
このアンテナ選択型のダイバーシティ方式におけるアンテナ選択の判定は、アンテナ毎に受信電界強度（ＲＳＳＩ：Received Signal Strength Indicator）を測定し、より受信電界強度が強い方のアンテナを選択する方法がある。
【０００３】
ところが、回折や反射の多い環境条件下などでは、混信や外来ノイズの発生しやすく、受信電界強度が高くても、受信データにおけるエラー率が高くなるので、このエラー率であるフレームエラーレート（ＦＥＲ：Frame Error Rate），ビットエラー率（ＢＥＲ：Bit Error Rate）などを測定して、受信データにおけるエラーの割合がより低い方のアンテナを選択する方法もある。
例えば、特許文献１に開示されたダイバーシティ受信機は、受信電界強度検出手段と、ビット誤り検出手段と、ビットエラー率測定手段と、タイミング信号発生手段を有し、受信電界強度が切り換えしきい値よりも低くても、ビットエラー率の値によってアンテナ切換判定を行うアンテナ切換判定手段を備える。（例えば、特許文献１参照）。
【特許文献１】特開平９−１９１３０５号公報
【発明の開示】
【発明が解決しようとする課題】
【０００４】
しかしながら、上記特許文献１に開示されたダイバーシティ受信機によれば、データ通信からアンテナ切り換えを行う工程において、受信電界強度の測定と、受信データにおけるビットエラー率の測定とを行っている。
受信電界強度の測定は、瞬間的な値を測定すればよいので、測定時間が短くて済む。一方、受信データにおけるエラー率（ビットエラー率、フレームエラーレート等）の測定は、ある一定の時間内のデータを取得して受信データのエラー率を測定する。より正確なエラー率を出すためには、測定時間をある程度とる必要がある。
このため、上記特許文献１に開示されたダイバーシティ通信機では、アンテナ切り換えを行う工程における測定時間が長くなるという問題がある。更に、正確なエラー率を測定しようとすると、さらに測定時間が長くなってしまう。
【０００５】
本発明は、上記のような従来の問題に着目してなされたものであり、アンテナ選択型のダイバーシティ方式の通信端末において、アンテナ選択の判定基準として受信データにおけるフレームエラーレートの測定値を使用しつつも、アンテナ選択の判定時間を短くすることを目的とする。
【課題を解決するための手段】
【０００６】
前記目的達成のために、本発明に係るアンテナの切換方法は、複数のアンテナを備え該複数のアンテナのうちの一つのアンテナを選択して通信部に接続する通信端末に対して、所定の時間間隔で挿入される受信完了の割り込み時に、前回のアンテナ切換判定フローで設定されたモードのアンテナ切換判定フローを順次実行するアンテナ切換方法であって、フレームエラー数のカウントを行い、カウントされた該フレームエラー数が、前回の受信完了の割り込み時に実行された第１のモードのアンテナ切換判定フローで測定されたフレームエラー数以上となった時点で、アンテナの切り換えを実行する第２のモードのアンテナ切換判定フローを含むことを特徴とする。
これにより、第２のモードにおけるフレームエラー数の測定時間は、第１のモードにおけるフレームエラー数の測定時間よりも短縮でき、最大でも同等であるので、通信端末の動作時におけるトータルの測定時間を短縮することができる。
【０００７】
また、本発明に係るアンテナの切換方法は、前記第１のモードのアンテナ切換判定フローは、フレームエラーレートの測定を行うステップと、フレームエラーレートが所定の閾値以上か否かを判定するステップと、フレームエラーレートが所定の閾値以上の場合に、受信した電波の受信電界強度を測定し、当該受信電界強度が所定の閾値以上か否かを判定するステップと、前記測定された受信電界強度が所定の閾値以上と判定された場合は、次回のアンテナ切り換え判定のモードを前記第２のモードに設定し、前記フレームエラーレート測定の際の一部期間のフレームエラー数を保存するステップと、アンテナの切り換えを実行するステップと、を含み、前記第２のモードのアンテナ切換判定フローは、前記第１のモードにおけるフレームエラーレート測定の際の一部期間と最大同じ期間のフレームエラー数のカウントをおこない、測定されたフレームエラー数が前記第１のモードの一部期間において測定されたフレームエラー数以上となった時点で、アンテナ切り換えを実行することを特徴とする。
これにより、第２のモードにおいては、第１のモードにおけるフレームエラーレート測定の際の一部期間と最大同じ期間のフレームエラー数のカウントを行い、測定されたフレームエラー数が第１のモードの一部期間において測定されフレームエラー数以上となった時点で、アンテナ切り換えを実行するので、第１のモードのフレームエラーレートの測定時間より時間を短くすることができる。
【０００８】
また、本発明に係るアンテナの切換方法は、前記第１のモードのアンテナ切換判定フローは、前記受信電界強度が所定の閾値未満と判定された場合は、次回のアンテナ切り換え判定のモードを第３のモードに設定し、前記受信電界強度の測定値を保存するステップと、を含み、前記第３のモードのアンテナ切換判定フローは、受信した電波の受信電界強度を測定し、今回の測定値が前回の第１のモードによる測定値以上であるか否かを判定して、今回の測定値が前回の第１のモードによる測定値未満の場合は、アンテナ切り換えを実行することを特徴とする。
これにより、第３のモードのアンテナ切換判定フローは、瞬間的な受信電界強度の値のみを測定すれば良いので、測定時間を短くすることができる。
【０００９】
本発明に係る通信端末は、複数のアンテナを備え、該複数のアンテナのうちの一つのアンテナを選択して通信部に接続するように制御する制御部を備える通信端末であって、前記制御部は、所定の時間間隔で挿入される受信完了の割り込み時に、複数のモードのうちの１つのモードのアンテナ切り換え判定フローを実行し、アンテナ切り換えの判定の基となる受信状態を判定する受信状態判定手段を有し、前記受信状態判定手段は、前記通信部で受信した電波の受信電界強度が、予め設定・保存された所定の閾値以上であるか否かの比較・判定、および、今回実行したアンテナ切り換え判定の受信電界強度の測定値が、前回実行したアンテナ切り換え判定時の受信電界強度の測定値以上か否かの比較・判定を実行する受信電界強度判定手段と、前記複数のアンテナを通して受信したそれぞれの受信信号のフレームエラーレートを測定し該フレームエラーレートが所定の閾値以上か否かの判定、および、前回のフレームエラーレート測定の際の一部期間のフレームエラー数が今回のアンテナ切り換え判定のフレームエラー数以上か否かの判定を実行するフレームエラー判定手段と、を備え、前記制御部は前記受信状態判定手段の判定結果に基づいて選択されたアンテナを前記通信部に接続するように制御することを特徴とする。
上記構成により、アンテナ選択型のダイバーシティ方式の通信端末において、アンテナ選択の判定基準として受信データにおけるフレームエラーレートの測定値を使用しつつも、アンテナ選択の判定時間を短くすることができる。
【発明の効果】
【００１０】
本発明によれば、アンテナ選択型のダイバーシティ方式の通信端末において、アンテナ選択の判定基準として受信データにおけるフレームエラーレートの測定値を使用しつつも、アンテナ選択の判定時間を短くすることができる。
【発明を実施するための最良の形態】
【００１１】
以下に、本発明の実施の形態を、図面を参照しながら説明する。
図１は本実施の形態に係る通信端末の概略構成を示すブロック図である。
【００１２】
本実施の形態に係る通信端末は、携帯電話機やＰＨＳ等の移動体通信に用いる通信端末であり、単一の通信部と複数のアンテナを持ち、この複数のアンテナのうち電波の受信状態が最も良いアンテナを選択して通信するアンテナ選択型のダイバーシティ方式の通信端末である。
【００１３】
図１において、通信端末１は、通信や文字の入出力などを制御する制御部１１を備えている。この制御部１１には、操作部１２、表示部１３、メモリ部１４、マイク／スピーカ１５および通信部１６がそれぞれ接続されている。通信部１６には、アンテナ切換手段１６ａを介して複数のアンテナ１７、１８が接続されている。
【００１４】
制御部１１は、通信端末１の各種機能に対する制御や演算を実行する。本実施の形態では、制御部１１は、複数のアンテナ１７、１８アンテナのうちの、電波の受信状態が最も良いアンテナを判定する受信状態判定手段１９を備えている。
【００１５】
制御部１１は、所定の時間間隔（例えば、５ｍＳ間隔）で挿入される受信完了の割り込み時に複数のモード（後述の第１のモード「通常モード」，第２のモード「ＦＥＲ判定モード」，第３のモード「ＲＳＳＩ判定モード」）のうちの１つのモードのアンテナ切り換え判定フローを、受信状態判定手段１９により実行させるように機能する。例えば、第１回目は第１のモードのアンテナ切換判定フローが実行され、次回のアンテナ切り換え判定時には、第１のモード実行時に条件により設定された次のモード（第１，第２，第３のモードのいずれかのモード）のフローを実行する。
また、制御部１１は、受信状態判定手段１９の判定結果に基づいたアンテナ切換の指令をアンテナ切換手段１６ａに送り、アンテナ１７、１８のいずれか１つを通信部１６に接続するように切り換える。
【００１６】
受信状態判定手段１９は、受信電界強度判定手段１９ａとフレームエラー判定手段１９ｂとを有する。
【００１７】
受信電界強度判定手段１９ａは、通信部１６で受信した電波の受信電界強度（ＲＳＳＩ）が、予めメモリ部１４に設定・保存された所定の閾値以上であるか否かの比較・判定を実行する。また、今回実行したアンテナ切り換え判定の受信電界強度の測定値が、前回実行したアンテナ切り換え判定時の受信電界強度の測定値以上か否かの比較・判定を実行する。
なお、上記“前回実行したアンテナ切り換え判定時の受信電界強度の測定値”は、前回のアンテナ切換判定フロー実行時にメモリ部１４に保存される。
【００１８】
フレームエラー判定手段１９ｂは、各アンテナ１７、１８を通して受信した信号のフレームエラーレートの測定を行い、フレームエラーレートが所定の閾値以上か否かの判定を実行する。また、前回のフレームエラーレート測定の際の一部期間のフレームエラー数が今回のアンテナ切り換え判定のフレームエラー数以上か否かの判定を実行する。
なお、上記“前回のフレームエラーレート測定の際の一部期間のフレームエラー数”は、前回のアンテナ切換判定フロー実行時にメモリ部１４に保存される。
【００１９】
操作部１２は、ダイヤルキー（数字キー）、電源キー、通話キー、保留キー、方向指示キーなどの各種キーが配置されている。携帯通信端末では、配置できるキー数が限られているので、英字（アルファベット）、仮名文字、記号等を入力するためのキー（文字入力手段）は電話番号等の数字を入力するダイヤルキー（数字キー）と共通になっている。
【００２０】
表示部１３は、電話番号、通信履歴、メール文、画像などを表示する液晶や有機ＥＬ等のディスプレイであり、送通信等において使用者が文字入力を行う際には、入力した文字列や予測変換候補の単語等が表示される。
【００２１】
メモリ部１４は、受信電界強度（ＲＳＳＩ）の閾値、フレームエラーレート（ＦＥＲ）の閾値、次回のアンテナ切り換え判定モード、アンテナ切り換え判定時の受信電界強度の測定値、フレームエラーレート測定の際の一部期間のフレームエラー数等が保存される。
【００２２】
通信部１６は、アンテナ切換手段１６ａを備え、このアンテナ切換手段１６ａに送受信兼用の２本のアンテナ１７、１８が接続されている。アンテナ切換手段１６ａは、制御部１１の指令により、アンテナ１７、１８のいずれか１つを通信部１６に接続するように切り換えるスイッチとして機能する。
【００２３】
次に、図２〜図４を用いて本実施の形態による通信端末１のアンテナ切換判定フローを説明する。
図２は本実施の形態における、割り込み処理時に第１のモード「通常モード」・第２のモード「ＦＥＲ判定モード」・第３のモード「ＲＳＳＩ判定モード」のいずれかへ分岐を行う受信割り込み処理のフローを示す図、図３は本実施の形態における第１のモード「通常モード」のアンテナ切換判定フローを示す図、図４は本実施の形態における第２のモード「ＦＥＲ判定モード」のアンテナ切換判定フローを示す図、図５は本実施の形態における第３のモード「ＲＳＳＩ判定モード」のアンテナ切換判定フローを示す図である。
【００２４】
本実施の形態による通信端末１のアンテナ切り換え判定は、所定の時間間隔（例えば、５ｍＳ間隔）で挿入される受信完了の割り込み時に実行される。図２に示す受信割り込み処理フローにより、第１回目は図３に示す「通常モード」のアンテナ切換判定フローが実行され、次回のアンテナ切り換え判定時には、「通常モード」実行時の条件により設定された次のモード（第１のモード「通常モード」，第２のモード「ＦＥＲ判定モード」，第３のモード「ＲＳＳＩ判定モード」のいずれかのモード）のフローを実行する。
【００２５】
通信端末１は、フレーム構成された信号のうち自分が受信すべきバースト信号を受信する。
あらかじめ通信端末１は、フレーム構成された信号を１バースト受信する間に、電界強度判定手段１９ａにより受信したバーストのＲＳＳＩ値測定を行い、フレームエラー判定手段１９ｂによりフレームエラー（例えばＰＨＳであればＵＷ：Unique Wordエラー又はＣＲＣ：Cyclic Redundancy Checkエラーいずれかを検出した際に１つの受信フレームがエラーとなる）の確認を行い、メモリ部１４へ記憶される。
通信端末１は、この記憶が行われた時点で受信割り込みを発生する。これにより図２の受信割り込み処理が呼び出され実行される。
【００２６】
受信割り込み処理は、１バースト受信を終えた時点で得られたフレームエラーの有無を前記記憶から読み出し、メモリ部１４に設けられたフレームエラーレート計算用の記憶領域である、フレームエラー記憶用ＦＩＦＯ（First In，First Out）型記憶領域を更新する（ステップＳ４０）。このＦＩＦＯへの記憶方法には、例えばフレームエラーがあった場合“１”、無かった場合“０”を記憶更新する。なお、本発明における通信端末１に搭載するＦＩＦＯは、２４０回（バースト）分の記憶が可能な領域を有している。
次に、モード読み込み（ステップＳ４１）を実行し、現在の受信割り込み処理モード（アンテナ切換のために予め設定されている、「状態」を示す値）を読み込む。なお、モードは、端末がアンテナ切換を行える状態になった最初の時点では、「通常モード」が設定されている。
【００２７】
次に、読み込んだモードが「ＲＳＳＩ判定モード」か否かを判定し（ステップＳ４２）、ＹＥＳであれば「ＲＳＳＩ判定モード」の定義済み処理（以下、サブルーチン）を呼び出し実行する（ステップＳ４６）。
【００２８】
また、上記ステップＳ４２にて判定がＮＯであれば、「ＦＥＲ判定モード」か否かの判定が実行される（ステップＳ４３）。そして、このステップＳ４３にてＹＥＳであれば、「ＦＥＲ判定モード」のサブルーチンを呼び出し実行する（ステップＳ４５）。
【００２９】
また、上記ステップＳ４３にてＮＯであれば、「通常モード」のサブルーチンを呼び出し実行する（ステップＳ４４）。
【００３０】
なお、前述の「通常モード」、「ＦＥＲ判定モード」、「ＲＳＳＩ判定モード」のいずれかのサブルーチンが実行された後は、受信割り込み開始処理へ処理手順が戻ってくるので、この本受信割り込み処理にて終了する。これにより、本受信割り込み処理は、次に受信割り込みが発生するまでの間、待機状態となる。
【００３１】
以降、前述の「通常モード」、「ＦＥＲ判定モード」、「ＲＳＳＩ判定モード」のいずれかが本受信割り込み処理により呼び出され、実行される際の動作について説明する。
【００３２】
第１回目の受信完了割り込み時には図３に示す「通常モード」では、フレームエラー判定手段１９ｂにおいてメモリ部１４に所定時間（例えばバースト信号を過去２４０回受信した間）記憶されたフレームエラー数からＦＥＲを計算する（ステップＳ１）。
【００３３】
一方、メモリ部１４には、フレームエラーレートの閾値が予め設定されており、フレームエラー判定手段１９ｂは、例えば上記バースト信号を２４０回受信した間のフレームエラーレートが所定の閾値（例えば４％）以上か否かを判定する（ステップＳ２）。
【００３４】
前記判定の結果、フレームエラーレートが所定の閾値（例えば４％）未満である場合（ステップＳ２：ＮＯ）は、次回（第２回目）のアンテナ切り換え判定のモードを「通常モード」に設定し（ステップＳ３）、アンテナ切り換えを行わずにアンテナ切換判定フローを終了する。
【００３５】
一方、フレームエラーレートが所定の閾値（例えば４％）以上の場合（ステップＳ２：ＹＥＳ）は、続いて、受信した際、測定しメモリ部１４に記憶した電波の受信電界強度（ＲＳＳＩ）を読み込み（ステップＳ４）、受信電界強度が所定の閾値（例えば４０ｄＢμＶ）以上か否かを判定する（ステップＳ５）。
【００３６】
そして、測定された受信電界強度が所定の閾値（例えば４０ｄＢμＶ）以上と判定された場合（ステップＳ５：ＹＥＳ）は、次回（第２回目）のアンテナ切り換え判定のモードを「ＦＥＲ判定モード」に設定し（ステップＳ６）、一部期間（例えば、バースト信号を１０回受信する間）に相当するフレームエラー数をメモリ部１４に設けられたフレームエラー記憶用ＦＩＦＯにおいて計数し数えた結果を、メモリ部１４に保存する（ステップＳ７）。なお、上記一部期間は、最新の期間であることが好ましい。これにより、アンテナ切換前のフレームエラー数を保持する。
また、次回受信割り込み発生時に「ＦＥＲ判定モード」の処理を実行する間、「ＦＥＲ判定モード」でのバースト受信回数を数えるカウンタ、およびフレームエラー数を数えるためのカウンタをリセットする（ステップＳ３０）。
【００３７】
一方、受信電界強度が所定の閾値（例えば４０ｄＢμＶ）未満と判定された場合（ステップＳ５：ＮＯ）は、次回（第２回目）のアンテナ切り換え判定のモードを「ＲＳＳＩ判定モード」に設定し（ステップＳ８）、測定された受信電界強度の値をメモリ部１４に保存する（ステップＳ９）。
【００３８】
上記のステップＳ７，ステップＳ３１の実行後は、制御部１１によりアンテナ切換手段１６ａを制御し、通信部１６を例えばアンテナ１７から１８、あるいは、アンテナ１８から１７に切り換えて接続する（ステップＳ１０）。そして、この第１回目のアンテナ切換判定フローを終了（呼び出し元へ戻る）する。
【００３９】
以上の「通常モード」のアンテナ切り換え判定を実行後、さらに所定の時間間隔（例えば、５ｍＳ間隔）経過すると、次の受信完了の割り込みが入り、次回（第２回目）のアンテナ切り換え判定が行われる。この次回（第２回目）のアンテナ切り換え判定は、前回（第１回目）のアンテナ切り換え判定時に設定されたモード（第１のモード「通常モード」，第２のモード「ＦＥＲ判定モード」，第３のモード「ＲＳＳＩ判定モード」のいずれかのモード）のフローによってアンテナ切り換え判定を行う。さらに、次回（第２回目）のアンテナ切換判定フローにより設定されたモードにより、その次の回（第３回目）のアンテナ切り換え判定を実行するというように、通信端末１の通信動作の実行中はこの処理を順次繰り返していく。
【００４０】
次に、第２のモード「ＦＥＲ判定モード」のアンテナ切換判定フローについて説明する。
図４において、所定の時間間隔（例えば、５ｍＳ間隔）で挿入される受信完了の割り込み時に、予めステップＳ３０にてリセットされていたバースト受信回数を数えるカウンタを１カウント増加させる（ステップＳ３２）。
次に、バースト信号を１回受信する間にフレームエラーが検出されればフレームエラー数をカウントし、ステップＳ３１にてリセットしたフレームエラー数を数えるカウンタに加算する（ステップＳ１１）。
【００４１】
そして、ステップＳ１１で加算されたフレームエラー数が、前回のアンテナ切換判定フロー実行時にメモリ部１４に保存されたフレームエラー数以上か否かを、フレームエラー判定手段１９ｂが判定する（ステップＳ１２）。
【００４２】
この結果、前回のアンテナ切換判定フロー実行時のフレームエラー数以上であった場合（ステップＳ１２：ＹＥＳ）は、制御部１１によりアンテナ切換手段１６ａを制御し、通信部１６を例えばアンテナ１７から１８、あるいは、アンテナ１８から１７に切り換えて接続し（ステップＳ１３）、次回のモードを「通常モード」に設定したうえ（ステップＳ１４）、「ＦＥＲ判定モード」の処理を終了（呼び出し元へ戻る）する。
【００４３】
一方、ステップＳ１２でフレームエラー数がアンテナ切換前のフレームエラー数未満と判定された場合（ステップＳ１２：ＮＯ）は、本フローにおけるバースト信号の受信回数が前回の「通常モード」のフローにおけるステップＳ７にて参照した過去のフレーム数と同条件の回数（例えば、１０回）となったか否かを判定する（ステップＳ１５）。
【００４４】
バースト信号の受信回数が前回の「通常モード」のフローにおけるステップＳ７と同条件の回数（例えば、１０回）に達した場合は、アンテナ切り換えを行わずに、次回のモードを「通常モード」に設定したうえ（ステップＳ１４）、「ＦＥＲ判定モード」の処理を終了（呼び出し元へ戻る）する。
【００４５】
また、バースト信号の受信回数が前回の「通常モード」のフローにおけるステップＳ７と同条件の回数（例えば、１０回）に達していない場合は、モード設定無しに、「ＦＥＲ判定モード」の処理を終了（呼び出し元へ戻る）する。
【００４６】
このように、「ＦＥＲ判定モード」のアンテナ切換判定フローでは、「通常モード」のステップＳ１で行った所定時間（例えばバースト信号を２４０回受信する間）のフレームエラーレート参照を行わない。
そして、「ＦＥＲ判定モード」においては、「通常モード」におけるフレームエラーレート測定の際の一部期間（例えば、バースト信号を１０回受信する間）と最大同じ期間のフレームエラー数のカウントをおこない、測定されたフレームエラー数が「通常モード」の一部期間において測定されフレームエラー数以上となった時点で、アンテナ切り換えを実行する。従って、「通常モード」のフレームエラーレートの測定時間より時間を短くすることができる（例えば、バースト信号１０回分の時間以下に短縮できる）。すなわち、アンテナ切り換えの判定処理を迅速に実施できる。
【００４７】
次に、第３のモード「ＲＳＳＩ判定モード」のアンテナ切換判定フローについて説明する。
図５において、所定の時間間隔（例えば、５ｍＳ間隔）で挿入される受信完了の割り込み時に、受信した電波の受信電界強度（ＲＳＳＩ）を読み込み（ステップＳ２１）、受信電界強度判定手段１９ａは今回の測定値が前回の測定値（Ｓ９にて保存）以上であるか否かを判定する（ステップＳ２２）。
【００４８】
今回の測定値が前回の測定値以上（ステップＳ２２：ＹＥＳ）の場合は、アンテナ切り換えを行わずに「ＲＳＳＩ判定モード」のアンテナ切換判定フローを終了する（ステップＳ２３）。そして、次回（第３回目）のアンテナ切り換え判定のモードを「通常モード」とする。
【００４９】
一方、今回の測定値が前回の測定値未満（ステップＳ２２：ＮＯ）の場合は、制御部１１によりアンテナ切換手段１６ａを制御し、通信部１６を例えばアンテナ１７から１８、あるいは、アンテナ１８から１７に切り換えて接続し（ステップＳ２４）、そして、次回（第３回目）のアンテナ切り換え判定のモードを「通常モード」とし、（ステップＳ２３）、「ＲＳＳＩ判定モード」の処理を終了（呼び出し元へ戻る）する。
このように、「ＲＳＳＩ判定モード」のアンテナ切換判定フローは、瞬間的な受信電界強度の値のみを測定すれば良いので、測定時間を短くすることができる。
【００５０】
以上、詳述したように、本実施の形態にかかる通信端末１は、複数のアンテナ１７，１８を備え、該複数１７，１８のアンテナのうちの一つのアンテナ（１７または１８）を選択して通信部１６に接続するように制御する制御部１１を備えており、制御部１１は、所定の時間間隔で挿入される受信完了の割り込み時に、複数のモード（第１のモード「通常モード」，第２のモード「ＦＥＲ判定モード」，第３のモード「ＲＳＳＩ判定モード」）のうちの１つのモードのアンテナ切り換え判定フローを実行し、アンテナ切り換えの判定の基となる受信状態を判定する受信状態判定手段１９を有し、受信状態判定手段１９は、通信部１６で受信した電波の受信電界強度が、予め設定・保存された所定の閾値以上であるか否かの比較・判定、および、今回実行したアンテナ切り換え判定の受信電界強度の測定値が、前回実行したアンテナ切り換え判定時の受信電界強度の測定値以上か否かの比較・判定を実行する受信電界強度判定手段１９ａと、複数のアンテナ１７，１８を通して受信したそれぞれの受信信号のフレームエラーレートを測定し該フレームエラーレートが所定の閾値以上か否かの判定、および、前回のフレームエラーレート測定の際の一部期間のフレームエラー数が今回のアンテナ切り換え判定のフレームエラー数以上か否かの判定を実行するフレームエラー判定手段と１９ｂ、を備え、受信状態判定手段１９の判定結果に基づいて選択されたアンテナ（１７または１８）を通信部１６に接続するように切り換えるものである。
これにより、アンテナ選択型のダイバーシティ方式の通信端末において、アンテナ選択および選択したアンテナが元のアンテナより不利であった場合の切り戻りの判定基準として受信データにおけるフレームエラーレートの測定値を使用しつつも、アンテナ選択の判定時間を短くすることができる。
【図面の簡単な説明】
【００５１】
【図１】本発明の実施の形態による通信端末の概略構成を示すブロック図である。
【図２】本発明の実施の形態における受信割り込み時に処理の分岐を行うフローを示す図である。
【図３】本発明の実施の形態における第１のモード「通常モード」のアンテナ切換判定フローを示す図である。
【図４】本発明の実施の形態における第２のモード「ＦＥＲ判定モード」のアンテナ切換判定フローを示す図である。
【図５】本発明の実施の形態における第３のモード「ＲＳＳＩ判定モード」のアンテナ切換判定フローを示す図である。
【符号の説明】
【００５２】
１１  制御部
１２  操作部
１３  表示部
１４  メモリ部
１６  通信部
１６ａ  アンテナ切換手段
１７、１８  アンテナ
１９  受信状態判定手段
１９ａ  受信電界強度判定手段
１９ｂ  フレームエラーレート判定手段
【図１】
0004839282.tif 000002
【図２】
0004839282.tif 000003
【図３】
0004839282.tif 000004
【図４】
0004839282.tif 000005
【図５】
0004839282.tif 000006